(57)【要約】【課題】本発明では、非常に簡易な操作で、各ユーザ専用の購入チラシを作成するための検索条件の登録を行うことが可能な購入チラシサーバを提供することを課題とする。【解決手段】あるユーザが登録している検索条件をもとに作成される購入チラシを他のユーザも閲覧可能に構成し、他のユーザ専用の購入チラシを閲覧しているユーザから、その購入チラシを作成するための検索条件を自分に関連付けて登録する旨の指示入力を受付けると、その購入チラシを作成するための検索条件を、前記指示入力を行ったユーザに関連付けて登録するよう構成された購入チラシサーバ装置を提供する。【選択図】          図２
2010117798.tif 000002
【特許請求の範囲】
【請求項１】
商品を販売するインターネット上のショッピングサイトからユーザの好みを反映した検索条件にて商品を検索し、検索された商品のショッピングサイトでの販売に利用されている画像などを組み合わせてＷＥＢページとして各ユーザ専用の購入商品候補を示す購入チラシを出力するための購入チラシサーバ装置であって、
ショッピングサイトで販売する商品の画像などからなる商品情報を蓄積可能な商品情報蓄積部と、
購入商品候補を検索するための検索条件をユーザに関連づけて保持する検索条件保持部と、
ユーザごとに関連付けて保持されている検索条件を利用して商品情報蓄積部を検索し、検索された商品の商品情報を取得する商品情報取得部と、
取得した商品情報を組み合わせてユーザ専用の購入チラシを作成する購入チラシ作成部と、
各ユーザ専用の購入チラシを他のユーザに対して公開する公開部と、
公開されている任意のユーザ専用の購入チラシを他のユーザに選択させてその購入チラシを作成するに際して利用されている検索条件を当該他のユーザにも関連付けて検索条件保持部に記録する選択記録部と、
を有する購入チラシサーバ装置。
【請求項２】
ユーザごとに関連付けて検索条件保持部に保持されている検索条件を変更するための検索条件変更部をさらに有する請求項１に記載の購入チラシサーバ装置。
【請求項３】
公開部は、
他のユーザ専用購入チラシの閲覧希望者のアダルトチェックを行うアダルトチェック手段と、
アダルトチェック手段にて未成年とされる閲覧希望者に対して非公開とするべき購入チラシか判断する判断手段と、
判断手段にて非公開とするべき購入チラシと判断した購入チラシを、アダルトチェック手段にて未成年とされる閲覧希望者に対して非公開制御する非公開制御手段と、
を有する請求項１または２に記載の購入チラシサーバ装置。
【請求項４】
商品を販売するインターネット上のショッピングサイトからユーザの好みを反映した検索条件にて商品を検索し、検索された商品のショッピングサイトでの販売に利用されている画像などを組み合わせてＷＥＢページとして各ユーザ専用の購入商品候補を示す購入チラシを出力するための購入チラシサーバ装置の商品検索条件流通方法であって、
ショッピングサイトで販売する商品の画像などからなる商品情報を蓄積し、また、購入商品候補を検索するための検索条件をユーザに関連づけて保持しておき、
ユーザごとに関連付けて保持されている検索条件を利用して商品情報を検索し、検索された商品の商品情報を取得する商品情報取得ステップと、
取得した商品情報を組み合わせてユーザ専用の購入チラシを作成する購入チラシ作成ステップと、
各ユーザ専用の購入チラシを他のユーザに対して公開する公開ステップと、
公開されている任意のユーザ専用の購入チラシを他のユーザに選択させてその購入チラシを作成するに際して利用されている検索条件を当該他のユーザにも関連付けて記録する選択記録ステップと、
を有する購入チラシサーバ装置の検索条件流通方法。
【発明の詳細な説明】
【技術分野】
【０００１】
本発明は、インターネット上のショッピングサイトにおいて商品の販売に利用されている画像などの商品情報を組み合わせたものである、各ユーザ専用の購入チラシを作成し、出力する購入チラシサーバ装置に関し、より詳しくは、自分専用の購入チラシを作成するための検索条件の登録を容易に行うことが可能に構成された購入チラシサーバ装置に関する。
【背景技術】
【０００２】
インターネット上で、各ユーザ専用の購入チラシを提供するサービスがある。具体的には、前記購入チラシ提供サービスを行うサーバは、ユーザごとに自分の好みを反映した検索条件の入力を受付け、そのユーザに関連付けて保存しておく。「検索条件」として登録可能な項目は、商品名（「ＤＶＤ」、「カニ」、「帽子」、「カバン」、など）や、「価格」、「送料」、「サイズ」、「色」、「生地」、「原産地」、「メーカ名」、「ブランド名」など、非常に多岐に渡る。そして、前記購入チラシ提供サービスを行うサーバは、所定のタイミング（「定期的に」、「ユーザ操作に基づき」、など）で、ユーザごとに登録された検索条件を基にインターネット上におけるショッピングサイトで購入可能な商品の情報を蓄積しているデータサーバを検索し、検索条件に該当する商品の情報を抽出する。その後、抽出した商品情報を利用して、そのユーザ専用の購入チラシを作成し、インターネット経由などでユーザの端末（ＰＣ、携帯電話、など）に出力などする。
【０００３】
このような購入チラシ提供サービスにより、ユーザは、自分の好みの商品情報のみが掲載された購入チラシを閲覧することが可能となる。すなわち、ショッピングサイト内における多数の商品情報の中から、自分の好みの商品情報を探すという面倒な作業をしなくてもよくなる。また、前記サービスにより提供される購入チラシをチェックすることで、ショッピングサイト内の商品情報をくまなくチェックしなくても、ショッピングサイトで扱われている商品の中の自分の好みの商品情報を閲覧しそこなうという不利益を回避することも可能となる。近年、インターネット上のショッピングサイトで扱われている商品の数は膨大であるので、このような購入チラシ提供サービスは非常に有益なものである。
【０００４】
しかしながら、前記のような購入チラシ提供サービスを受けたいユーザは、当然に、自分の好みを反映した検索条件の登録をする必要があるが、コンピュータの操作などが不得手なお年寄りなどのユーザは、検索条件の登録が容易に行えないという問題がある。かかる場合、そのユーザは前記購入チラシ提供サービスを受けることができない。
【０００５】
また、自分専用の購入チラシに掲載される商品情報をより有益なものだけにしぼりこみ（不要な情報を取り除き）、掲載される商品情報の量を少なくするためには、より多くの項目を特定した詳細な検索条件を登録する必要がある。すなわち、検索条件として登録する項目が多ければ多いほど、より自分の好みに合った商品の情報だけにしぼりこまれた購入チラシを取得することが可能となる。逆に、検索条件として登録する項目が少なければ、それだけ多くの商品が検索条件に該当し、購入チラシに掲載される情報量が膨大になってしまう。購入チラシに掲載される情報量が多すぎると、閲覧するのを面倒に感じたり、商品のチェック漏れが生じたりする恐れがある。よって、当該サービスをより効果的に活用するためには、より詳細な検索条件を登録する必要がある。しかしながら、当該作業を面倒に感じるユーザもいる。
【０００６】
そこで、前記のようなユーザなどが、非常に簡易な操作で、自分専用の購入チラシを作成するための検索条件の登録を行うことが可能なユーザフレンドリーな技術が望まれる。
【０００７】
ここで、ユーザが、複数の項目の検索条件の入力および確認を容易に行えるように構成された装置の発明として、特許文献１のようなものがある。特許文献１に記載の発明は検索条件の入力操作を行うための携帯型の情報検索端末を備え、前記情報検索端末の特徴的構造により、検索条件の入力および確認の操作の簡易化を実現するというものである。しかしながら、このような従来にない装置を利用しての入力操作は、慣れるまで非常に面倒であり、機械操作の苦手な人は敬遠しがちである。
【特許文献１】特開２００７−２３３５０９
【発明の開示】
【発明が解決しようとする課題】
【０００８】
そこで、本発明では、非常に簡易な操作で、各ユーザ専用の購入チラシを作成するための検索条件の登録を行うことが可能な購入チラシサーバを提供することを課題とする。
【課題を解決するための手段】
【０００９】
上記課題を解決するための手段として、以下のような発明などを提供する。
【００１０】
あるユーザが登録している検索条件をもとに作成される購入チラシを他のユーザも閲覧可能に構成し、他のユーザ専用の購入チラシを閲覧しているユーザから、その購入チラシを作成するための検索条件を自分に関連付けて登録する旨の指示入力を受付けると、その購入チラシを作成するための検索条件を、前記指示入力を行ったユーザに関連付けて登録するよう構成された購入チラシサーバ装置を提供する。
【００１１】
具体的には、以下のような発明を提供する。
【００１２】
第一発明では、商品を販売するインターネット上のショッピングサイトからユーザの好みを反映した検索条件にて商品を検索し、検索された商品のショッピングサイトでの販売に利用されている画像などを組み合わせてＷＥＢページとして各ユーザ専用の購入商品候補を示す購入チラシを出力するための購入チラシサーバ装置であって、ショッピングサイトで販売する商品の画像などからなる商品情報を蓄積可能な商品情報蓄積部と、購入商品候補を検索するための検索条件をユーザに関連づけて保持する検索条件保持部と、ユーザごとに関連付けて保持されている検索条件を利用して商品情報蓄積部を検索し、検索された商品の商品情報を取得する商品情報取得部と、取得した商品情報を組み合わせてユーザ専用の購入チラシを作成する購入チラシ作成部と、各ユーザ専用の購入チラシを他のユーザに対して公開する公開部と、公開されている任意のユーザ専用の購入チラシを他のユーザに選択させてその購入チラシを作成するに際して利用されている検索条件を当該他のユーザにも関連付けて検索条件保持部に記録する選択記録部を有する購入チラシサーバ装置を提供する。
【００１３】
第二発明では、第一発明を基本とし、さらに、ユーザごとに関連付けて検索条件保持部に保持されている検索条件を変更するための検索条件変更部を有する購入チラシサーバ装置を提供する。
【００１４】
第三発明では、第一発明または第二発明を基本とし、さらに、公開部は、他のユーザ専用購入チラシの閲覧希望者のアダルトチェックを行うアダルトチェック手段と、アダルトチェック手段にて未成年とされる閲覧希望者に対して非公開とするべき購入チラシか判断する判断手段と、判断手段にて非公開とするべき購入チラシと判断した購入チラシを、アダルトチェック手段にて未成年とされる閲覧希望者に対して非公開制御する非公開制御手段を有する購入チラシサーバ装置を提供する。
【００１５】
第四発明では、商品を販売するインターネット上のショッピングサイトからユーザの好みを反映した検索条件にて商品を検索し、検索された商品のショッピングサイトでの販売に利用されている画像などを組み合わせてＷＥＢページとして各ユーザ専用の購入商品候補を示す購入チラシを出力するための購入チラシサーバ装置の商品検索条件流通方法であって、ショッピングサイトで販売する商品の画像などからなる商品情報を蓄積し、また、購入商品候補を検索するための検索条件をユーザに関連づけて保持しておき、ユーザごとに関連付けて保持されている検索条件を利用して商品情報を検索し、検索された商品の商品情報を取得する商品情報取得ステップと、取得した商品情報を組み合わせてユーザ専用の購入チラシを作成する購入チラシ作成ステップと、各ユーザ専用の購入チラシを他のユーザに対して公開する公開ステップと、公開されている任意のユーザ専用の購入チラシを他のユーザに選択させてその購入チラシを作成するに際して利用されている検索条件を当該他のユーザにも関連付けて記録する選択記録ステップを有する購入チラシサーバ装置の検索条件流通方法を提供する。
【発明の効果】
【００１６】
本発明の購入チラシサーバ装置および検索条件流通方法により、ユーザは、非常に簡易な操作のみで自分にあった検索条件を登録することが可能となる。すなわち、商品の画像などを含む商品情報が記載された他のユーザ専用の購入チラシを閲覧しながら、自分の好み（情報量、商品種、価格、など）に合った購入チラシを検索し、その購入チラシを作成するための検索条件を自分のものとする指示入力を行うだけで、自分の好みにあった検索条件を登録することが可能となる。
【００１７】
また、前記のようにして登録した検索条件を、簡易な操作で、より自分の好みにあった内容に変更することができる。
【００１８】
その結果、自分専用の購入チラシを受信するサービスを利用するユーザの数が増加し、そのショッピングサイト内における商品の拡販を実現することができると期待される。
【発明を実施するための最良の形態】
【００１９】
以下に、本発明の実施例を説明する。実施例と請求項の相互の関係は、以下のとおりである。実施形態１は主に請求項１、４などに関し、実施形態２は主に請求項２などに関し、実施形態３は主に請求項３などに関する。なお、本発明はこれら実施例に何ら限定されるものではなく、その要旨を逸脱しない範囲内において、様々な態様で実施しうる。
【００２０】
<<実施形態１>>
<実施形態１の概要>
本実施形態の購入チラシサーバ装置は、ユーザごとに自分の好みを反映した検索条件の入力を受付け、そのユーザに関連付けて保持しておく。そして、所定のタイミング（「定期的に」、「ユーザ操作に基づき」、など）で、ユーザごとに登録された検索条件を基にインターネット上におけるショッピングサイトで購入可能な商品の情報を蓄積しているデータサーバを検索し、検索条件に該当する商品の情報を抽出する。その後、抽出した商品情報を利用して、そのユーザ専用の購入チラシを作成し、インターネット経由などでユーザの端末（ＰＣ、携帯電話、など）に出力（図１Ａ）参照などするよう構成されている。
【００２１】
また、図１Ｂに示すように、あるユーザ専用の購入チラシを他のユーザに対して公開するとともに、気に入った他のユーザ専用の購入チラシを作成するための検索条件を自分に関連付けて登録する入力を受付可能に構成されている。そして、他のユーザ専用の購入チラシを作成するための検索条件を、自分に関連付けて登録する入力を受付けると、そのチラシを作成するための検索条件を、前記入力を行ったユーザに関連付けて登録するよう構成される。
【００２２】
このように、本実施形態の購入チラシサーバ装置によれば、他のユーザ専用の購入チラシの中からお気に入りのチラシを検索し、そのチラシを作成するための検索条件を、自分に関連付けて登録する入力を行うだけで、面倒な入力操作などなしに、自分専用の購入チラシを作成するための検索条件の登録を行うことが可能となる。
【００２３】
<実施形態１の機能的構成>
本実施形態の購入チラシサーバ装置の機能ブロックの一例を図２に示す。図２に示すように、本実施形態の「購入チラシサーバ装置」（０２００）は、「商品情報蓄積部」（０２０１）と、「検索条件保持部」（０２０２）と、「商品情報取得部」（０２０３）と、「購入チラシ作成部」（０２０４）と、「公開部」（０２０５）と、「選択記録部」（０２０６）を有する。
【００２４】
なお、図２は、購入チラシサーバ装置（０２００）を１つのサーバ装置で構成するような記載になっているが、必ずしもそのような構成に限定されるものではなく、２つ以上のサーバ装置で「購入チラシサーバ装置」（０２００）を構成してもよい。例えば、「商品情報蓄積部」（０２０１）を有する１つのサーバ装置と、「検索条件保持部」（０２０２）を有する１つのサーバ装置と、「商品情報取得部」（０２０３）、「購入チラシ作成部」（０２０４）、「公開部」（０２０５）、「選択記録部」（０２０６）を有する１つのサーバ装置との組み合わせにより、本実施形態の「購入チラシサーバ装置」（０２００）を構成してもよい。また、「商品情報蓄積部」（０２０１）、「検索条件保持部」（０２０２）のそれぞれを２つ以上のサーバ装置で構成してもよいし、「商品情報取得部」（０２０３）、「購入チラシ作成部」（０２０４）、「公開部」（０２０５）、「選択記録部」（０２０６）を別々のサーバ装置で構成してもよい。前記はあくまで一例であり、本実施形態の購入チラシサーバ装置を前記以外の構成にすることを除外するものではない。なお、複数のサーバ装置により購入チラシサーバ装置（０２００）を構成する場合には、当然に、それら複数のサーバ装置どうしが有線及び／又は無線で通信できるように構成することとなる。
【００２５】
前記前提は、以下のすべての実施形態において同様である。
【００２６】
ここで、本装置（コンテンツ表示装置、デジタルテレビ表示装置）の機能ブロックは、ハードウェア、ソフトウェア、またはハードウェアおよびソフトウェアの両方として実現され得る。具体的には、コンピュータを利用するものであれば、ＣＰＵやＲＡＭ、バス、あるいは二次記憶装置（ハードディスクや不揮発性メモリ、ＣＤ−ＲＯＭやＤＶＤ−ＲＯＭなどの記憶メディアとそれらメディアの読取ドライブなど）、印刷機器や表示装置、その他の外部周辺装置などのハードウェア構成部やその外部周辺機器用のＩ／Ｏポート、それらハードウェアを制御するためのドライバプログラムやその他アプリケーションプログラム、情報入力に利用されるユーザインターフェイスなどが挙げられる。
【００２７】
またこれらハードウェアやソフトウェアは、ＲＡＭ上に展開したプログラムをＣＰＵで演算処理したり、メモリやハードディスク上に保持されているデータや、インターフェイスを介して入力されたデータなどを加工、蓄積、出力処理したり、あるいは各ハードウェア構成部の制御を行ったりするために利用される。また、この発明は装置として実現できるのみでなく、方法としても実現可能である。また、このような発明の一部をソフトウェアとして構成することができる。さらに、そのようなソフトウェアをコンピュータに実行させるために用いるソフトウェア製品、および同製品を記憶媒体に固定した記憶媒体も、当然にこの発明の技術的な範囲に含まれる（本明細書の全体を通じて同様である）。
【００２８】
以下、本実施形態の「購入チラシサーバ装置」（０２００）の「商品情報蓄積部」（０２０１）、「検索条件保持部」（０２０２）、「商品情報取得部」（０２０３）、「購入チラシ作成部」（０２０４）、「公開部」（０２０５）、「選択記録部」（０２０６）の機能的構成について詳細に説明する。
【００２９】
「購入チラシサーバ装置」（０２００）は、多数の商品を販売するインターネット上のショッピングサイトからユーザの好みを反映した検索条件にて商品を検索し、検索された商品のショッピングサイトでの販売に利用されている画像など（商品情報）を組み合わせて各ユーザ用の購入商品候補を示す購入チラシを出力するよう構成されている。購入チラシサーバ装置（０２００）の前記構成は、「商品情報蓄積部」（０２０１）、「検索条件保持部」（０２０２）、「商品情報取得部」（０２０３）、「購入チラシ作成部」（０２０４）、「公開部」（０２０５）、「選択記録部」（０２０６）などにより実現される。以下、その詳細を説明する。
【００３０】
「商品情報蓄積部」（０２０１）は、ショッピングサイトで販売する商品の画像などからなる商品情報を蓄積可能に構成されている。本実施形態における「ショッピングサイト」は、１店舗のみで構成されたものでもよいし、２店舗以上が集まって構成されたものであってもよい。ショッピングサイトで販売する「商品」は、「衣料品」、「食料品」、「電化製品」、「貴金属」、「スポーツ用品」、「書籍」、「ＣＤ」、「ＤＶＤ」、などあらゆる商品が該当する。なお、前記列挙はあくまで一例であり、その他の商品を除外するものではない。「画像などからなる商品情報」とは、ショッピングサイトで販売する商品に関する情報であって、ショッピングサイト上で提供されるあらゆる情報が該当する。例えば、商品の外観や特徴的部分を示した商品画像や、商品名、ブランド名、原産地、サイズ、送料、賞味期限、色、在庫状況、口コミコメント、著名人のコメント、価格、送料、商品説明、支払方法などが考えられる。なお、前記列挙もあくまで一例であり、その他の情報を除外するものではない。
【００３１】
前記のような商品情報は、主に、ショッピングサイトに店舗を構えるユーザから入力を受付け、商品情報蓄積部（０２０１）が蓄積することとなる。
【００３２】
ここで、商品情報蓄積部（０２０１）は、一つのショッピングサイトのみの商品情報を蓄積するように構成してもよいし、複数のショッピングサイトの商品情報を蓄積するように構成してもよい。または、インターネット上に自由にアクセス可能におかれた一以上のショッピングサイトの商品情報を蓄積したサーバを組み合わせて、商品情報蓄積部（０２０１）としてもよい。
【００３３】
商品情報蓄積部（０２０１）が一つのショッピングサイトのみの商品情報を蓄積する場合には、そのショッピングサイトが商品情報蓄積部（０２０１）を利用した購入チラシ提供サービスを行っているケースが想定される。一方、商品情報蓄積部（０２０１）が、複数のショッピングサイトの商品情報を蓄積する場合や、インターネット上に自由にアクセス可能におかれた一以上のショッピングサイトの商品情報を蓄積したサーバを組み合わせて構成される場合には、インターネット上で購入チラシ提供サービスを専門に行っている事業者などが、商品情報蓄積部（０２０１）を利用した購入チラシ提供サービスを行っているケースが想定される。
【００３４】
「検索条件保持部」（０２０２）は、購入商品候補を検索するための検索条件をユーザに関連付けて保持するよう構成されている。「購入商品候補」とは、換言すれば、購入するか否かを検討するために商品情報の閲覧を希望する商品という意味である。すなわち、「購入商品候補を検索するための検索条件」とは、そのショッピングサイトで販売されている商品であって、ユーザが商品情報の閲覧を希望する商品を検索するための検索条件のことである。「検索条件」は、一以上の項目を特定したものとなる。前記項目としては特段制限されず、例えば、商品名、ブランド名、原産地、サイズ、送料、賞味期限、色、在庫状況、口コミコメントの有無、著名人のコメントの有無、価格、送料、商品説明の有無、支払方法、画像の有無、メンズかレディース、販売開始日、新作か否か、キーワード、などが考えられる。なお、前記項目はあくまで一例であり、他の項目を除外するものではない。
【００３５】
ここで、前記のような検索条件の入力を受付ける手段としては、例えば、図３に示すようなインターフェイスをユーザ端末に出力し、当該インターフェイスから直接入力、プルダウン入力、チェック入力、などにより入力を受付けてもよい。なお、本発明の目的は、ユーザが簡易な操作で検索条件の登録を行えるようにすることであるが、当該目的を直接的に実現するのは以下で説明する「公開部」（０２０５）や「選択記録部」（０２０６）の構成による。図３に示す検索条件の入力を受付けるためのインターフェイスは、検索条件の入力を面倒に感じないユーザなどが、自分専用の検索条件の登録を行うために利用することが期待されるインターフェイスの一例である。
【００３６】
図４に、検索条件保持部（０２０２）がユーザに関連付けて保持する検索条件の一例を模式的に示す。図に示すように、検索条件保持部（０２０２）は、ユーザ情報として、購入チラシサーバ装置（０２００）が付与したユーザＩＤのほか、ユーザが登録したメールアドレスやニックネームなどを関連付けて保持してもよい。その他、ユーザの生年月日や住所、電話番号、ＦＡＸ番号、検索条件登録日、などを関連付けて保持することも可能である。次に、図４で示す検索条件は、いわゆる「ＡＮＤ検索」を「×」で示し、いわゆる「ＯＲ」検索を「＋」で示している。そして、項目名を「隅付き括弧」で示し、項目名とイコール（＝）で繋いで各項目の検索条件を記載している。なお、図４で示す表現方法はあくまで一例であり、本実施形態においては、検索条件をどのように表現するかは特段制限されず、任意の設計事項である。また、図４に示すように、各ユーザは複数の検索条件を登録することができるように構成してもよい。
【００３７】
「商品情報取得部」（０２０３）は、ユーザごとに関連付けて保持されている検索条件を利用して商品情報蓄積部（０２０１）を検索し、検索された商品の商品情報を取得するよう構成されている。具体的には、商品情報取得部（０２０３）は、所定のタイミングで図４に示すような検索条件を蓄積したデータベースの中から一つの検索条件を取り出すと、取り出した検索条件と、商品情報蓄積部（０２０１）が蓄積している商品情報を比較処理し、検索条件に合致する商品情報のすべてを取得する。前記、検索条件と商品情報データとの比較処理は、従来技術を利用して実現することができる。
【００３８】
ここで、商品情報取得部（０２０３）が、検索条件を利用して商品情報蓄積部（０２０１）を検索するタイミングとしては、例えば、ユーザから「最新の購入チラシ作成指示入力」を受付けたのをトリガに行ってもよい。前記指示入力は、その検索条件を登録したユーザが行うほか、そのユーザ専用の購入チラシの閲覧を希望する他のユーザが行う場合も考えられる。その他のタイミングとしては、あらかじめ定められた所定のタイミング（例：「毎週月曜日朝１０時」、「毎朝１０時」、など）になったのをトリガに行ってもよい。前記、「あらかじめ定められた所定のタイミング（例：「毎週月曜日朝１０時」、「毎朝１０時」、など）」は、各ユーザが任意に選択できるように構成してもよい。さらに、前記選択は、検索条件ごとに選択できてもよい。
【００３９】
なお、商品情報取得部（０２０３）が取得した商品情報は、その商品情報を取得するために利用された検索条件と関連付けて、一定期間保持するように構成してもよい。または、取得した商品情報を利用してユーザ専用の購入チラシを作成し、ユーザに出力した後は削除するように構成してもよい。「一定期間保持」する例としては、「次の商品情報を取得するまで保持」としてもよいし、「１ヶ月間保持」としてもよいし、「１年間保持」としてもよい。また、検索条件に合致した商品情報を一定期間保持するのでなく、検索条件に合致した商品情報を特定することが可能な情報（「商品情報ＩＤ」、「ＵＲＬ」など）を、その商品情報を取得するために利用された検索条件と関連付けて、一定期間保持するように構成してもよい。参考までに、図５に、検索条件に合致した商品情報を特定することが可能な情報（「商品情報ＩＤ」など）を、その検索条件と関連付けて蓄積したデータベースの一例を模式的に示す。
【００４０】
なお、図５のようなデータベースを一定期間保持する場合には、商品情報取得部（０２０３）は、検索条件を利用して検索した結果である図５のようなデータを利用して、商品情報蓄積部（０２０１）を検索し、検索された商品の商品情報を取得するように構成されてもよい。当該処理は、他のユーザ専用の購入チラシの閲覧を希望するユーザからの求めに応じて購入チラシを作成し、出力する場合などに実施されると考えられる。
【００４１】
「購入チラシ作成部」（０２０４）は、前記商品情報取得部（０２０３）が取得した商品情報を組み合わせてユーザ専用の購入チラシを作成するよう構成される。なお、購入チラシ作成部（０２０４）が購入チラシを作成するタイミングとしては特段制限されず、例えば、前記商品情報取得部（０２０３）が所定のタイミングで商品情報を取得すると、それをトリガに、取得した商品情報を組み合わせてユーザ専用の購入チラシを作成してもよい。その他、ユーザから「最新の購入チラシ作成指示入力」を受付けたのをトリガに行ってもよい。前記指示入力は、その検索条件を登録したユーザが行うほか、そのユーザ専用の購入チラシの閲覧を希望する他のユーザが行う場合も考えられる。その他のタイミングとしては、あらかじめ定められた所定のタイミング（例：「毎週月曜日朝１０時」、「毎朝１０時」、など）になったのをトリガにユーザ専用の購入チラシを作成してもよい。前記、「あらかじめ定められた所定のタイミング（例：「毎週月曜日朝１０時」、「毎朝１０時」、など）」は、各ユーザが任意に選択できるように構成してもよい。さらに、前記選択は、検索条件ごとに選択できてもよい。
【００４２】
ここで、参考までに、図１Ａに、ユーザ専用の購入チラシをそのユーザに提供する一例を示す。なお、購入チラシの構成手段については、任意の設計事項であり、図に示すものに限定されるものではない。すなわち、取得した商品情報（「商品名」、「価格」、「商品画像」、「送料」、など）の中の、すべての情報を利用して購入チラシを構成してもよいし、一部の情報のみを利用して購入チラシを構成してもよい。また、複数の商品の商品情報をどのように配列するか、どのような文字態様にするか、などについても任意の設計事項である。その他、購入チラシの中にハイパーリンクを埋め込んで、購入チラシに記載された一以上の商品の一の選択入力を受付けると、選択された商品の詳細情報を記載した画面や、購入手続画面などに容易に移動できるように構成してもよい。または、購入チラシの画面は、ショッピングサイトで商品情報を閲覧し商品を「購入カゴ」に入れ、購入手続き画面に遷移するインターフェイスと関連しており、購入チラシから、前記手続きが行えるように構成してもよい。
【００４３】
その他、複数のショッピングサイトの商品情報を組み合わせて購入チラシを作成する場合には、購入チラシに記載された一以上の商品の一の選択入力を受付けると、その商品を扱っているショッピングサイトの購入手続き画面に遷移し、その商品の購入手続きが即座に行えるよう構成してもよい。また、同じ商品を複数のショッピングサイトで扱っている場合には、各ショッピングサイトにおける商品情報を比較可能に表示するよう構成してもよい。
【００４４】
なお、このような購入チラシの提供手段としては、メールなどで各ユーザに提供してもよいし、購入チラシ提供サービスを行っているウェブページ上で、提供してもよい。
【００４５】
「公開部」（０２０５）は、各ユーザ専用の購入チラシを他のユーザに対して公開するよう構成されている。すなわち、公開部（０２０５）は、他のユーザからの求めに応じ、各ユーザ専用の購入チラシを他のユーザに対して公開する。なお、あるユーザ専用の購入チラシを他のユーザに対して公開する際には、その購入チラシの専用ユーザのプライベート情報などは公開しないようにするのが望ましい。
【００４６】
ここで、各ユーザ専用の購入チラシを他のユーザに対して公開する具体的手段としては、ウェブページ上にて公開する手段が考えられる。例えば、他のユーザ専用の購入チラシを閲覧するサービスを受けるページにアクセスしてきたユーザから、閲覧する購入チラシを特定する入力を受付ける。そして、前記特定された購入チラシをウェブページ上にて表示する手段などである。
【００４７】
なお、他のユーザ専用の購入チラシの閲覧を希望するユーザから、閲覧を希望する購入チラシを特定する入力を受付ける手段としては、例えば、新しく作成された購入チラシの順に各購入チラシの簡易情報を一覧表示し、その中の一つの選択入力を受付けることで実現してもよい。前記「簡易情報」は、例えば、サムネイル画像、掲載商品数、購入チラシ作成日、その購入チラシを作成するための検索条件の登録日、その購入チラシの専用ユーザの性別、世代などの簡易情報、その購入チラシに対する口コミコメント、などが考えられる。なお、前記はあくまで一例であり、その他の情報を含んでもよいし、前記の中の一以上を含まなくてもよい。当該前提は、以下も同様である。
【００４８】
その他の閲覧を希望する購入チラシを特定する入力を受付ける手段としては、他のユーザから閲覧された回数が多い順に各購入チラシの簡易情報を一覧表示し、その中の一つの選択入力を受付けることで実現してもよい。その他、検索条件として登録している項目数が多い順に各購入チラシの簡易情報を一覧表示し、その中の一つの選択入力を受付けることで実現してもよい。その他、検索条件として所定の数の項目数を登録している一以上の購入チラシの簡易情報を一覧表示し、その中の一つの選択入力を受付けることで実現してもよい。その他、他のユーザ専用の購入チラシの閲覧を希望するユーザがその時点で、または、過去に購入した商品が記載されている購入チラシの簡易情報を一覧表示し、その中の一つの選択入力を受付けることで実現してもよい。その他、他のユーザ専用の購入チラシの閲覧を希望するユーザがその時点で、または、過去に購入した商品を販売している店舗の商品が記載されている購入チラシの簡易情報を一覧表示し、その中の一つの選択入力を受付けることで特定してもよい。その他、他のユーザ専用の購入チラシの閲覧を希望するユーザが選択したお気に入りの商品が記載されている購入チラシの簡易情報を一覧表示し、その中の一つの選択入力を受付けることで実現してもよい。その他、他のユーザ専用の購入チラシの閲覧を希望するユーザが選択したお気に入りの店舗の商品が記載されている購入チラシの簡易情報を一覧表示し、その中の一つの選択入力を受付けることで実現してもよい。なお、前記はあくまで一例であり、その他の手段で、他のユーザ専用の購入チラシの閲覧を希望するユーザから、閲覧を希望する購入チラシを特定する入力を受付けてもよい。
【００４９】
なお、公開部（０２０５）は、公開した購入チラシと同一の検索条件を利用して過去に作成された購入チラシをも公開可能に構成してもよい。前記過去の購入チラシの公開は、商品情報取得部（０２０３）が取得した商品情報を一定期間保持するように構成し、当該商品情報を利用することで実現することができる。または、検索条件に合致した商品を特定することが可能な情報（「商品情報ＩＤ」など）を一定期間保持するように構成し（図５参照）、当該データと商品情報蓄積部（０２０１）が蓄積している商品情報とを利用することで実現することができる。かかる場合、必要に応じて、商品情報蓄積部（０２０１）が蓄積している商品情報も一定期間保持するように構成してもよい。
【００５０】
その他、公開部（０２０５）は、公開した購入チラシの検索条件をも公開可能に構成してもよい。
【００５１】
「選択記録部」（０２０６）は、公開されている任意のユーザ専用の購入チラシを他のユーザに選択させて、その購入チラシを作成するに際して利用されている検索条件を、当該他のユーザにも関連付けて検索条件保持部に登録するよう構成されている。すなわち、前記「選択」は、換言すれば、公開されている任意のユーザ専用の購入チラシを作成するための検索条件を、自分に関連付けて登録する旨の指示入力である。前記指示入力を受付ける手段としては特段制限されず、例えば、図１Ｂに示すように、任意のユーザ専用の購入チラシを公開するとともに、その購入チラシを「選択」するためのボタン（図の場合「マイチラシ登録」）を設けておき、そのボタンのクリックにより受付けるようにしてもよい。
【００５２】
選択記録部（０２０６）は、前記手段などにより、一つの購入チラシを選択する入力を受付けると、その購入チラシのＩＤを基に、図４、５のデータベースを利用するなどして、その購入チラシを作成するに際して利用されている検索条件を特定する。そして、特定した検索条件を、前記選択入力を行ったユーザに関連付けて、検索条件保持部（０２０２）が保持しているデータベース（図４参照）に登録することとなる。
【００５３】
<実施形態１のハードウェア構成>
図６は、本実施形態のコンテンツ表示装置の上記機能的構成をハードウェアとして実現した際の構成の一例を表す図である。
【００５４】
以下に、図６のハードウェア図を用いて、本実施形態を実現する手段の一例を説明する。図に示すように、本実施形態の「購入チラシサーバ装置」は、「商品情報蓄積部」、「検索条件保持部」、「商品情報取得部」、「購入チラシ作成部」、「公開部」、「選択記録部」などを構成する、「ＣＰＵ」（０６０１）、「主記憶装置」（０６０２）、「プログラム記憶装置」（０６０３）、「２次記憶装置」（０６０４）、「インターネットＩ／Ｆ」（０６０５）、「ＨＤＤ」（０６０６）、「バス」（０６０７）などを備えている。
【００５５】
主記憶装置（０６０２）は、プログラム実行中に動的にデータ書換可能な記憶装置である。主記憶装置（０６０２）はプログラム記憶装置（０６０３）に記憶されている他ユーザ購入チラシ公開プログラムや検索条件登録プログラムなどを実行するために必要なスタックやヒープ等のワーク領域を提供する。また主記憶装置（０６０２）は、他ユーザ専用の購入チラシを作成するための検索条件を自分に関連付けて登録する旨の入力を受付けるための他ユーザ購入チラシ選択インターフェイスデータや、購入チラシを構成するためのデータである購入チラシ構成ひな形データや、購入チラシに記載すべき商品を識別する情報を記載したチラシデータや、購入チラシに記載すべき商品の情報である商品情報や、他ユーザから選択を受付けたチラシを特定するためのチラシＩＤや、前記チラシＩＤを作成するために利用される検索条件、などを保持する。
【００５６】
２次記憶装置（０６０４）はプログラム実行中に動的にデータ書換可能な記憶装置であり、装置の電源が切れても、記憶しているデータが消去されない。２次記憶装置（０６０４）は、他ユーザ専用の購入チラシを作成するための検索条件を自分に関連付けて登録する旨の入力を受付けるための他ユーザ購入チラシ選択インターフェイスデータや、購入チラシを構成するためのデータである購入チラシ構成ひな形データ、などを保持する。
【００５７】
また、ＨＤＤ（０６０６）は、インターネット上のショッピングサイトで利用される商品情報や、各ユーザが自分に関連付けて登録した検索条件や、前記検索条件を利用して前記商品情報を検索した結果であって、購入チラシに記載すべき商品を識別する情報を記載したチラシデータなどを保持する。
【００５８】
以下、本実施形態の地図検索装置が、インターネットＩ／Ｆ（０６０５）を介して、あるユーザから、他のユーザ専用の購入チラシを作成するための検索条件を自分のものとする選択の入力を受付け、その検索条件をそのユーザに関連付けて保持する処理の一例について説明する。
【００５９】
まず、インターネットＩ／Ｆ（０６０５）を介して、あるユーザの端末（ＰＣ、携帯電話、など）から、他のユーザ専用の購入チラシの閲覧を希望する指示入力を受付けると、閲覧を希望する購入チラシを特定する情報（チラシＩＤ）を識別する。その後、前記チラシＩＤを利用してＨＤＤ（０６０６）に格納されている、各購入チラシに記載すべき商品を識別する情報（商品ＩＤ）などを記載したチラシデータ（図５参照）を検索し、そのチラシＩＤが付されたチラシデータを取り出して、主記憶装置（０６０２）のデータ領域に格納する。
【００６０】
そして、前記チラシデータに記載の商品を識別すると、ＨＤＤ（０６０６）に格納されている商品情報を検索し、前記識別した商品の商品情報を取り出して、主記憶装置（０６０２）のデータ領域に格納する。また、２次記憶装置（０６０４）より、購入チラシを構成するためのひな形データと、他ユーザ専用の購入チラシを作成するための検索条件を自分のものとする選択の入力を受付けるための「他ユーザ購入チラシ選択インターフェイスデータ」を取り出し、主記憶装置（０６０２）のデータ領域に格納する。
【００６１】
その後、前記商品情報と購入チラシを構成するためのひな形データを利用して購入チラシを構成すると、前記他ユーザ購入チラシ選択インターフェイスデータとともに、インターネットＩ／Ｆ（０６０５）を介してユーザの端末に送信する。
【００６２】
その後、前記他ユーザ購入チラシ選択インターフェイスから、他のユーザ専用の購入チラシを作成するための検索条件を自分に関連付けて登録する旨の入力を受付けると、その購入チラシのチラシＩＤを特定する。そして、前記チラシＩＤで特定されるチラシを作成するための検索条件ＩＤを特定すると（図５参照）、前記特定した検索条件ＩＤで特定される検索条件を特定する（図４参照）。
【００６３】
その後、前記入力を行ったユーザと、前記特定した検索条件を関連付けて、検索条件のデータベース（図４参照）に登録する。
【００６４】
<実施形態１の処理の流れ>
本実施形態の購入チラシサーバ装置の検索条件流通方法の処理の流れの一例を図７のフローチャートに示す。
【００６５】
まず、購入チラシサーバ装置は、ユーザ端末装置（ＰＣ、携帯電話、など）からインターネットを介して送信されてきた他のユーザ専用の購入チラシの閲覧を希望する指示入力を受付けると（Ｓ０７０１）、閲覧を希望する購入チラシを特定する（Ｓ０７０２）。
【００６６】
その後、ステップＳ０７０２で特定した購入チラシを作成するために利用される検索条件を特定し（Ｓ０７０３）、前記特定した検索条件を利用して商品情報を検索する（Ｓ０７０４）。
【００６７】
その後、ステップＳ０７０４で検索された商品情報を組み合わせて他のユーザ専用の購入チラシを作成すると（Ｓ０７０５）、作成した購入チラシを、他のユーザ専用の購入チラシを作成するための検索条件を自分に関連付けて登録する旨の入力を受付けるための他ユーザ購入チラシ選択インターフェイスデータとともに、インターネットを介して、ステップＳ０７０１で受付けた指示入力を送信してきたユーザの端末に送信する（Ｓ０７０６）。
【００６８】
その後、前記インターフェイスより、他のユーザ専用の購入チラシを作成するための検索条件を自分に関連付けて登録する旨の入力を受付けると（Ｓ０７０７）、前記購入チラシを特定し、特定した購入チラシを作成するために利用される検索条件を特定する。そして、特定した検索条件を、ステップＳ０７０７の入力を行ったユーザに関連付けて登録する（Ｓ０７０８）。
【００６９】
その後、当該サービスを終了する指示入力を受付けると（Ｓ０７０９）、処理を終了する。一方、当該サービスを終了する指示入力を受付けない場合には（Ｓ０７０９）、ステップＳ０７０１に戻り他のユーザ専用の購入チラシの閲覧を希望する指示入力の待機状態となる。そして、他のユーザ専用の購入チラシの閲覧を希望する指示入力を受付けると、前記処理を繰り返す。
【００７０】
一方、ステップＳ０７０７において、前記インターフェイスより、他のユーザ専用の購入チラシを作成するための検索条件を自分に関連付けて登録する旨の入力を受付けない場合には、他のユーザ専用のその他の購入チラシの閲覧を希望する指示入力を受付けたか判断する（Ｓ０７１０）。
【００７１】
そして、ステップＳ０７１０での判断の結果、他のユーザ専用のその他の購入チラシの閲覧を希望する指示入力を受付けた場合には、ステップＳ０７０２に戻り、前記処理を繰り返す。一方、ステップＳ０７１０での判断の結果、他のユーザ専用のその他の購入チラシの閲覧を希望する指示入力を受付けていない場合には、ステップＳ０７１１に進んで当該サービスを終了する指示入力を受付けたか判断し、当該サービスを終了する指示入力を受付けると処理を終了する。
【００７２】
一方、ステップＳ０７１１での判断の結果、当該サービスを終了する指示入力を受付けていない場合には、ステップＳ０７０７に戻り、ステップＳ０７０７またはステップＳ０７１０またはステップＳ０７１１における入力待ち状態となる。
【００７３】
ここで、前記は、他のユーザ専用の購入チラシの閲覧を希望する指示入力を受付けると、その都度、その購入チラシを作成するための検索条件を利用して商品情報を検索し、購入チラシを作成する例について説明したが、前記に限定されるものではない。例えば、閲覧希望の入力を受付けた購入チラシの専用ユーザに購入チラシを出力するために、それ以前に検索を行い、その購入チラシに記載すべき商品を特定する情報を一定期間保持している場合には（図５参照）、当該情報を利用して商品情報を取得し、購入チラシを作成するようにしてもよい。
【００７４】
<実施形態１の効果>
本実施形態の購入チラシサーバ装置および検索条件流通方法により、ユーザは、非常に簡易な操作のみで自分にあった検索条件を登録することが可能となる。
【００７５】
その結果、自分専用の購入チラシを受信するサービスを利用するユーザの数が増加し、そのショッピングサイト内における商品の拡販を実現することができると期待される。
【００７６】
<<実施形態２>>
<実施形態２の概要>
本実施形態の購入チラシサーバ装置は、実施形態１を基本とし、さらに、ユーザは、自分に関連付けて登録されている検索条件を変更することが可能に構成されている。その結果、実施形態１の機能により、他のユーザに関連付けて登録されている検索条件を自分に関連付けて登録したユーザは、その検索条件をより自分の好みに合ったものに変更することが可能となる。
【００７７】
当該機能は、複数の項目を特定した詳細な検索条件の登録が面倒であると感じるユーザにとって、非常に有益なものであると考えられる。
【００７８】
<実施形態２の機能的構成>
本実施形態の購入チラシサーバ装置の機能ブロックの一例を図８に示す。図８に示すように、本実施形態の「購入チラシサーバ装置」（０８００）は、「商品情報蓄積部」（０８０１）と、「検索条件保持部」（０８０２）と、「商品情報取得部」（０８０３）と、「購入チラシ作成部」（０８０４）と、「公開部」（０８０５）と、「選択記録部」（０８０６）と、「検索条件変更部」（０８０７）を有する。
【００７９】
以下、本実施形態の「購入チラシサーバ装置」（０８００）の「検索条件変更部」（０８０７）の機能的構成について詳細に説明する。なお、「商品情報蓄積部」（０８０１）、「検索条件保持部」（０８０２）、「商品情報取得部」（０８０３）、「購入チラシ作成部」（０８０４）、「公開部」（０８０５）、「選択記録部」（０８０６）の機能的構成については実施形態１と同様であるので、ここでの詳細な説明は省略する。
【００８０】
「検索条件変更部」（０８０７）は、ユーザごとに関連付けて検索条件保持部に保持されている検索条件を変更するよう構成されている。なお、検索条件変更部（０８０７）は、ユーザごとに関連付けて検索条件保持部（０８０２）に保持されている検索条件を、そのユーザからの求めに応じ変更するよう構成される。すなわち、あるユーザが、他のユーザに関連付けて登録されている検索条件を変更することはできない。しかしながら、当然に、他のユーザに関連付けて登録されている検索条件を、実施形態１に記載の機能に基づき自分に関連付けて検索条件保持部（０８０２）に登録し、その後、登録した前記検索条件を変更することは可能である。
【００８１】
ここで、ユーザから検索条件の変更を受付ける手段としては特段制限されず、例えば、ユーザから「一つの検索条件を特定しての検索条件閲覧指示入力」を受付けると、図３に示すようなインターフェイスでその検索条件を表示し、当該インターフェイスから検索条件の変更の入力を受付けてもよい。なお、前記はあくまで一例であり、その他の手段でユーザから検索条件の変更を受付けてもよい。
【００８２】
<実施形態２のハードウェア構成>
本実施形態の購入チラシサーバ装置の上記機能的構成をハードウェアとして実現した際の構成は、実施形態１の購入チラシサーバ装置や従来技術に準じて実現することができる。よって、ここでの詳細な説明は省略する。
【００８３】
<実施形態２の処理の流れ>
本実施形態の購入チラシサーバ装置の検索条件変更方法の処理の流れの一例を図９のフローチャートに示す。
【００８４】
まず、購入チラシサーバ装置は、ユーザ端末装置（ＰＣ、携帯電話、など）からインターネットを介して送信されてきた自分に関連付けて登録されている検索条件を閲覧する指示入力を受付けると（Ｓ０９０１）、前記入力を行ったユーザおよび閲覧を希望する検索条件を識別する（Ｓ０９０２）。
【００８５】
その後、ステップＳ０９０２で識別した検索条件を購入チラシサーバ装置内のメモリから取り出し（Ｓ０９０３）、検索条件の変更を受付けるインターフェイスとともにユーザ端末に出力する（Ｓ０９０４）。
【００８６】
その後、ステップＳ０９０４で出力したインターフェイスから検索条件の変更の入力を受付けると（Ｓ０９０５）、受付けた変更内容に従い、ステップＳ０９０３で取り出した検索条件の内容を更新する（Ｓ０９０６）。
【００８７】
<実施形態２の効果>
本実施形態の購入チラシサーバ装置および検索条件変更方法により、ユーザは、自分に関連付けて登録してある検索条件の内容を変更することが可能となる。
【００８８】
その結果、実施形態１の機能により、他のユーザに関連付けて登録されている検索条件を自分に関連付けて登録したユーザは、その検索条件をより自分の好みに合ったものに変更することが可能となる。すなわち、複数の項目を特定した詳細な検索条件の登録が面倒であると感じるユーザは、比較的簡易な操作のみで、真に自分の好みにあった、詳細な検索条件の登録を行うことが可能となる。
【００８９】
その結果、自分専用の購入チラシを受信するサービスを利用するユーザの数が増加し、そのショッピングサイト内における商品の拡販を実現することができると期待される。
【００９０】
<<実施形態３>>
<実施形態３の概要>
本実施形態の購入チラシサーバ装置は、実施形態１または２を基本とし、さらに、他のユーザ専用の購入チラシの閲覧を希望するユーザに対してアダルトチェックを行い、そのユーザが未成年と判断すると、閲覧可能な購入チラシに一定の制限をかけることを特徴とする。すなわち、未成年者に対して公開するのに適さない内容の商品を含む購入チラシを閲覧できないように制限する。
【００９１】
購入チラシは、商品画像などを含む商品情報を組み合わせて作成されるので、例えば、未成年者に対して公開するのに適さない画像を含む購入チラシが作成される場合もあると考えられる。
【００９２】
本実施形態の購入チラシサーバ装置は、前記のような事情に鑑み、開発されたものである。
【００９３】
<実施形態３の機能的構成>
本実施形態の購入チラシサーバ装置の機能ブロックの一例を図１０に示す。図１０に示すように、本実施形態の「購入チラシサーバ装置」（１０００）は、「商品情報蓄積部」（１００１）と、「検索条件保持部」（１００２）と、「商品情報取得部」（１００３）と、「購入チラシ作成部」（１００４）と、「公開部」（１００５）を有し、さらに、「公開部」（１００５）は「アダルトチェック手段」と「判断手段」と「非公開制御手段」を有する。
【００９４】
以下、本実施形態の「購入チラシサーバ装置」（１０００）の「公開部」（１００５）の「アダルトチェック手段」、「判断手段」、「非公開制御手段」の機能的構成について詳細に説明する。なお、「商品情報蓄積部」（１００１）、「検索条件保持部」（１００２）、「商品情報取得部」（１００３）、「購入チラシ作成部」（１００４）、の機能的構成については実施形態１と同様であるので、ここでの詳細な説明は省略する。
【００９５】
「公開部」（１００５）の「アダルトチェック手段」は、他のユーザ専用購入チラシの閲覧希望者のアダルトチェックを行うよう構成される。アダルトチェックを行うタイミングとしては、他のユーザ専用購入チラシの閲覧を希望する指示入力を受付けたのをトリガに行ってもよいし、または、未成年とされる閲覧希望者に対して非公開とするべき購入チラシの閲覧を希望する指示入力を受付けたのをトリガに行ってもよい。閲覧を希望する指示入力を受付けた他のユーザ専用購入チラシが、未成年とされる閲覧希望者に対して非公開とするべきものか否かの判断は、以下で説明する「判断手段」の構成により実現される。
【００９６】
ここで、アダルトチェックの具体的処理としては、例えば、年齢や生年月日などの入力を受付けるインターフェイスを出力し、そのインターフェイスから入力された情報に基づきアダルトチェックを行ってもよい。または、そのショッピングサイトを利用するユーザに対して、あらかじめ、年齢、生年月日などの入力を行いユーザ登録を行うことを義務付けている場合には、ユーザ登録に伴い発行したユーザＩＤやパスワードなどの入力を受付けるインターフェイスを出力し、そのインターフェイスから入力された情報に従いアダルトチェックを行ってもよい。
【００９７】
なお、前記はあくまで一例であり、他の手段によりアダルトチェックを行ってもよい。
【００９８】
「公開部」（１００５）の「判断手段」は、アダルチェック手段にて未成年とされる閲覧希望者に対して非公開とするべき購入チラシか判断するよう構成されている。前記判断の手段としては、例えば、購入チラシサーバ装置（１０００）の管理者が、あらかじめ登録された検索条件で作成される購入チラシの内容を確認し、未成年に対して非公開とするべき購入チラシが作成される可能性がある検索条件に、その旨を示す情報を付与しておく。そして、判断手段は、前記情報が付与された検索条件を利用して作成された購入チラシか否かを判断することで、未成年とされる閲覧希望者に対して非公開とするべき購入チラシか否かを判断してもよい。なお、前記購入チラシサーバ装置（１０００）の管理者による購入チラシの内容の確認は、一つずつ目視で行うことで実現してもよいし、または、あらかじめデータベース化した所定のキーワード（暴力的、卑猥、など）が、検索条件の中に含まれるか否かを電子計算機に判断させることで実現してもよい。
【００９９】
その他の判断の手段としては、例えば、未成年とされる閲覧希望者が閲覧を希望している購入チラシの中に、未成年者が親権者などの同意なしに購入できない商品が含まれているか否かを判断することで実現してもよい。
【０１００】
なお、前記はあくまで一例であり、他の手段により未成年とされる閲覧希望者に対して非公開とするべき購入チラシか否かを判断してもよい。
【０１０１】
「公開部」（１００５）の「非公開制御手段」は、判断手段にて非公開とするべき購入チラシと判断した購入チラシを、アダルトチェック手段にて未成年とされる閲覧希望者に対して非公開制御するよう構成されている。非公開制御の具体的手段は、例えば、アダルトチェック手段にて未成年とされる閲覧希望者から、判断手段にて非公開とするべき購入チラシと判断した購入チラシの閲覧を希望する指示入力を受付けても、その購入チラシのデータを閲覧希望者の端末に対して送信しないように制御することで実現できる。なお、前記制御を行う場合には、購入チラシのデータを送信する代わりに、「未成年者は閲覧できません」などの情報を表示するためのデータを送信してもよい。
【０１０２】
<実施形態３のハードウェア構成>
本実施形態の購入チラシサーバ装置の上記機能的構成をハードウェアとして実現した際の構成は、実施形態１の購入チラシサーバ装置や従来技術に準じて実現することができる。よって、ここでの詳細な説明は省略する。
【０１０３】
<実施形態３の処理の流れ>
本実施形態の購入チラシサーバ装置の購入チラシ非公開制御方法の処理の流れの一例を図１１のフローチャートに示す。
【０１０４】
まず、購入チラシサーバ装置は、ユーザ端末装置（ＰＣ、携帯電話、など）からインターネットを介して送信されてきた他のユーザ専用の購入チラシの閲覧を希望する指示入力を受付けると（Ｓ１１０１）、閲覧を希望する購入チラシを特定する（Ｓ１１０２）。
【０１０５】
その後、ステップＳ１１０２で特定した購入チラシが、未成年とされる閲覧希望者に対して非公開とするべき購入チラシか否かを判断する（Ｓ１１０３）。
【０１０６】
ステップＳ１１０３での判断の結果、未成年とされる閲覧希望者に対して非公開とするべき購入チラシでないと判断すると（Ｓ１１０４）、その購入チラシを作成し、ユーザの端末に送信する（Ｓ１１０５）。
【０１０７】
一方、ステップＳ１１０３での判断の結果、未成年とされる閲覧希望者に対して非公開とするべき購入チラシと判断すると（Ｓ１１０４）、アダルトチェックを行う情報の入力を受付けるためのインターフェイスデータをユーザの端末に送信し、前記インターフェイスから入力を受付けた情報を利用して、アダルトチェックを行う（Ｓ１１０６）。
【０１０８】
ステップＳ１１０６でのアダルトチェックの結果、他のユーザ専用購入チラシの閲覧希望者が未成年であると判断した場合には（Ｓ１１０７）、閲覧を希望する購入チラシを送信せず、当該購入チラシは閲覧できない旨の情報を示すデータをユーザの端末に送信する（Ｓ１１０８）。
【０１０９】
一方、ステップＳ１１０６でのアダルトチェックの結果、他のユーザ専用購入チラシの閲覧希望者が未成年でないと判断した場合には（Ｓ１１０７）、その購入チラシを作成し、ユーザの端末に送信する（Ｓ１１０５）。
【０１１０】
前記は、未成年とされる閲覧希望者に対して非公開とするべき購入チラシの閲覧を希望する指示入力を受付けたのをトリガにアダルトチェックを行う場合の処理の流れについて説明したが、その他、最初に他のユーザ専用の購入チラシの閲覧を希望する指示入力を受付けたのをトリガにアダルトチェックを行うようにしてもよい。
【０１１１】
<実施形態３の効果>
本実施形態の購入チラシサーバ装置および購入チラシ非公開制御方法により、未成年と判断されるユーザに対して、未成年が閲覧するのに適さない内容を含む他のユーザ専用の購入チラシを公開しないように制御することが可能となる。
【０１１２】
その結果、本発明を利用したサービスの健全性が確保され、当該サービスの利用者の増加が期待される。そして、そのショッピングサイト内における商品の拡販を実現することができると期待される。
【図面の簡単な説明】
【０１１３】
【図１Ａ】ユーザ専用購入チラシの一例
【図１Ｂ】他のユーザ専用購入チラシを閲覧するインターフェイスの一例
【図２】実施形態１の購入チラシサーバ装置の機能ブロック図
【図３】検索条件の入力を受付けるインターフェイスの一例
【図４】保持されている検索条件の一例を模式的に示した図
【図５】検索条件を利用して検索した結果を一定期間保持しているデータベースの一例を模式的に示した図
【図６】実施形態１のハードウェア構成の一例を示した概念図
【図７】実施形態１の処理の流れを示すフローチャート図
【図８】実施形態２の購入チラシサーバ装置の機能ブロック図
【図９】実施形態２の処理の流れを示すフローチャート図
【図１０】実施形態３の購入チラシサーバ装置の機能ブロック図
【図１１】実施形態３の処理の流れを示すフローチャート図
【符号の説明】
【０１１４】
０２００        購入チラシサーバ装置
０２０１        商品情報蓄積部
０２０２        検索条件保持部
０２０３        商品情報取得部
０２０４        購入チラシ作成部
０２０５        公開部
０２０６        選択記録部
【図１Ａ】
2010117798.tif 000003
【図１Ｂ】
2010117798.tif 000004
【図２】
2010117798.tif 000005
【図３】
2010117798.tif 000006
【図４】
2010117798.tif 000007
【図５】
2010117798.tif 000008
【図６】
2010117798.tif 000009
【図７】
2010117798.tif 000010
【図８】
2010117798.tif 000011
【図９】
2010117798.tif 000012
【図１０】
2010117798.tif 000013
【図１１】
2010117798.tif 000014